(57)【要約】【課題】複数のユーザに対するコンテンツの閲覧の可否を特別な設定なしでも実現できるようにする。【解決手段】閲覧可能性リスト生成部２６は、ウィンドウが表示部３３に表示されている場合、ウィンドウを閲覧しているユーザを、前記ウィンドウの閲覧を許可するユーザが登録される閲覧可能性リスト記憶部２７に記録して更新し、閲覧可能性履歴生成部２８が、閲覧可能性履歴を、閲覧可能性履歴記憶部２９に記録して更新し、ホワイトリスト生成部３０が、閲覧可能性履歴より閲覧が可能なユーザを登録してホワイトリスト記憶部３１に記憶させる。ウィンドウ管理部３２は、閲覧可能性リストに登録されていないユーザがウィンドウを閲覧可能になるとき、表示部３３に表示されているウィンドウを非表示に制御する。本技術は、大型表示装置に適用することができる。【選択図】図１
2015153268.tif 000002
【特許請求の範囲】
【請求項１】
ユーザ毎に使用されるアプリケーションプログラムからなるコンテンツ毎のウィンドウを表示する表示部と、
前記ウィンドウが前記表示部に表示されている場合、前記ウィンドウの閲覧を許可するユーザが登録される許可者リストに登録されていないユーザが閲覧可能な状態になるとき、前記表示部に表示されていたウィンドウの表示を、前記許可者リストに登録されていないユーザに閲覧不能、または閲覧困難な状態に管理するウィンドウ管理部と
を含む情報処理装置。
【請求項２】
前記表示部を閲覧するユーザが存在する範囲の画像を撮像する撮像部と、
前記画像内のユーザ毎の前記表示部に対する閲覧位置と、前記表示部に表示されているウィンドウ毎の表示位置とに基づいて、前記ユーザ毎の視野範囲を特定し、前記ウィンドウ毎に視野範囲内であって、かつ、閲覧可能な距離内であるか否かに基づいて、閲覧の可否を判定し、閲覧可能性リストに登録する閲覧可能性リスト生成部と、
前記閲覧可能性リストの履歴を生成する閲覧可能性履歴生成部と、
前記ウィンドウ毎に前記閲覧可能性履歴に閲覧可能であるとして登録されたユーザを、前記許可者リストに登録するリスト登録部とをさらに含む
請求項１に記載の情報処理装置。
【請求項３】
前記ウィンドウ管理部は、前記ウィンドウが前記表示部に表示されている場合、前記許可者リストに登録されていないユーザが閲覧可能な状態になるとき、前記表示部に表示されているウィンドウの表示を、非表示、半透明表示、縮小表示、および、前記許可者リストに登録されていないユーザの閲覧位置から閲覧不能、または閲覧困難な位置への位置変更表示のいずれか、または、それらの組み合わせの表示に切り替えることで、前記許可者リストに登録されていないユーザに閲覧不能、または閲覧困難な状態に管理する
請求項１に記載の情報処理装置。
【請求項４】
携帯端末とデータを授受する通信部をさらに含み、
前記ウィンドウ管理部は、前記表示部に表示されているウィンドウの表示を、前記許可者リストに登録されていないユーザに閲覧不能、または閲覧困難な状態に管理する場合、前記許可者リストに登録されていないユーザに閲覧不能、または閲覧困難な状態に管理したウィンドウの一覧からなる閲覧不能ウィンドウリストを、前記通信部を制御して前記携帯端末に送信する
請求項１に記載の情報処理装置。
【請求項５】
前記ウィンドウ管理部は、前記通信部を制御して、前記携帯端末より前記閲覧不能ウィンドウリストに登録されたウィンドウのうち、いずれかを閲覧可能な状態に切り替える指示を受信した場合、前記許可者リストに登録されていないユーザに閲覧不能、または閲覧困難な状態に管理したウィンドウを、閲覧可能な状態に切り替えて表示するように管理する
請求項４に記載の情報処理装置。
【請求項６】
前記ウィンドウが前記表示部に表示されている場合、前記ウィンドウを閲覧しているユーザを、前記許可者リストに登録する登録部をさらに含む
請求項５に記載の情報処理装置。
【請求項７】
表示部により、ユーザ毎に使用されるアプリケーションプログラムからなるコンテンツ毎のウィンドウを表示し、
前記ウィンドウが前記表示部に表示されている場合、前記ウィンドウの閲覧を許可するユーザが登録される許可者リストに登録されていないユーザが閲覧可能な状態になるとき、前記表示部に表示されているウィンドウの表示を、前記許可者リストに登録されていないユーザに閲覧不能、または閲覧困難な状態に管理する
ステップを含む情報処理方法。
【請求項８】
ユーザ毎に使用されるアプリケーションプログラムからなるコンテンツ毎のウィンドウを表示する表示部を備えた情報処理装置を制御するコンピュータに、
前記ウィンドウが前記表示部に表示されている場合、前記許可者リストに登録されていないユーザが閲覧可能な状態になるとき、前記表示部に表示されていたウィンドウの表示を、前記許可者リストに登録されていないユーザに閲覧不能、または閲覧困難な状態に管理するウィンドウ管理ステップと
を含む処理を実行させるプログラム。
【請求項９】
情報処理装置と携帯端末からなる情報処理システムにおいて、
前記情報処理装置は、
ユーザ毎に使用されるアプリケーションプログラムからなるコンテンツ毎のウィンドウを表示する表示部と、
前記ウィンドウが前記表示部に表示されている場合、前記ウィンドウの閲覧を許可するユーザが登録される許可者リストに登録されていないユーザが閲覧可能な状態になるとき、前記表示部に表示されていたウィンドウの表示を、前記許可者リストに登録されていないユーザに閲覧不能、または閲覧困難な状態に管理するウィンドウ管理部と、
携帯端末とデータを授受する第１の通信部とを含み、
前記ウィンドウ管理部は、前記表示部に表示されているウィンドウの表示を、前記許可者リストに登録されていないユーザに閲覧不能、または閲覧困難な状態に管理する場合、前記許可者リストに登録されていないユーザに閲覧不能、または閲覧困難な状態に管理したウィンドウの一覧からなる閲覧不能ウィンドウリストを、前記通信部を制御して前記携帯端末に送信し、前記通信部を制御して、前記携帯端末より前記閲覧不能ウィンドウリストに登録されたウィンドウのうち、いずれかを閲覧可能な状態に切り替える指示を受信した場合、前記許可者リストに登録されていないユーザに閲覧不能、または閲覧困難な状態に管理したウィンドウを、閲覧可能な状態に切り替えて表示するように管理し、
前記携帯端末は、
前記閲覧不能ウィンドウリストを受信し、前記閲覧不能ウィンドウリストに登録されたウィンドウのうち、いずれかを閲覧可能な状態に切り替える指示を送信する通信部と、
前記閲覧不能ウィンドウリストを表示する表示部と、
前記閲覧不能ウィンドウリストに登録されたウィンドウのうち、いずれかを閲覧可能な状態に切り替える指示を入力する操作部と
を含む情報処理システム。
【発明の詳細な説明】
【技術分野】
【０００１】
本技術は、情報処理装置および方法、情報処理システム、並びにプログラムに関し、特に、複数のユーザに対するコンテンツの閲覧の可否を特別に設定することなく実現できるようにした情報処理装置および方法、情報処理システム、並びにプログラムに関する。
【背景技術】
【０００２】
近年、大型のタッチパネルを用いて複数のユーザが同時に操作できるような表示装置の普及が進んでいる。大型の表示パネルを備えた表示装置を用いる場合、一つのコンテンツを複数のユーザで同時に閲覧することが可能である反面、表示されるコンテンツに対するプライバシやセキュリティの保護が重要となる。
【０００３】
そこで、同様の複数の人数での同時利用が想定される端末において、表示の可否の判断に複数のユーザ間の人間関係情報を用いる技術（特許文献１参照）や、予め、各コンテンツに、編集、閲覧のみ、全て不可などの３段階のレベルを例とするような、セキュリティレベルを設定し、それらに合わせて偏光パネルを用いて、表示の可否を決定するような技術（特許文献２参照）が提案されている。
【先行技術文献】
【特許文献】
【０００４】
【特許文献１】特開２００９−０８７０２６号公報
【特許文献２】特開２０１３−１４３１５０号公報
【発明の概要】
【発明が解決しようとする課題】
【０００５】
しかしながら、特許文献１，２の技術では、セキュリティレベルの設定の方法については言及されていない。
【０００６】
また、各コンテンツについて、ユーザが個別にユーザの使用するアプリケーションプログラムやそれらの公開レベルが多様化・詳細化する現代では、ユーザが各コンテンツの画面を使用するであろうユーザ群に対して、個別にセキュリティレベルを設定することは非常にコストがかかり現実的ではない。
【０００７】
本技術は、このような状況に鑑みてなされたものであり、特に、大型の表示パネルによりコンテンツを表示する際、複数のユーザに対するコンテンツの閲覧の可否を特別な設定なしでも実現できるようにするものである。
【課題を解決するための手段】
【０００８】
本技術の一側面の情報処理装置は、ユーザ毎に使用されるアプリケーションプログラムからなるコンテンツ毎のウィンドウを表示する表示部と、前記ウィンドウが前記表示部に表示されている場合、前記ウィンドウの閲覧を許可するユーザが登録される許可者リストに登録されていないユーザが閲覧可能な状態になるとき、前記表示部に表示されていたウィンドウの表示を、前記許可者リストに登録されていないユーザに閲覧不能、または閲覧困難な状態に管理するウィンドウ管理部とを含む。
【０００９】
前記表示部を閲覧するユーザが存在する範囲の画像を撮像する撮像部と、前記画像内のユーザ毎の前記表示部に対する閲覧位置と、前記表示部に表示されているウィンドウ毎の表示位置とに基づいて、前記ユーザ毎の視野範囲を特定し、前記ウィンドウ毎に視野範囲内であって、かつ、閲覧可能な距離内であるか否かに基づいて、閲覧の可否を判定し、閲覧可能性リストに登録する閲覧可能性リスト生成部と、前記閲覧可能性リストの履歴を生成する閲覧可能性履歴生成部と、前記ウィンドウ毎に前記閲覧可能性履歴に閲覧可能であるとして登録されたユーザを、前記許可者リストに登録するリスト登録部とをさらに含ませるようにすることができる。
【００１０】
前記ウィンドウ管理部には、前記ウィンドウが前記表示部に表示されている場合、前記許可者リストに登録されていないユーザが閲覧可能な状態になるとき、前記表示部に表示されているウィンドウの表示を、非表示、半透明表示、縮小表示、および、前記許可者リストに登録されていないユーザの閲覧位置から閲覧不能、または閲覧困難な位置への位置変更表示のいずれか、または、それらの組み合わせの表示に切り替えることで、前記許可者リストに登録されていないユーザに閲覧不能、または閲覧困難な状態に管理させるようにすることができる。
【００１１】
携帯端末とデータを授受する通信部をさらに含ませるようにすることができ、前記ウィンドウ管理部には、前記表示部に表示されているウィンドウの表示を、前記許可者リストに登録されていないユーザに閲覧不能、または閲覧困難な状態に管理する場合、前記許可者リストに登録されていないユーザに閲覧不能、または閲覧困難な状態に管理したウィンドウの一覧からなる閲覧不能ウィンドウリストを、前記通信部を制御して前記携帯端末に送信させるようにすることができる。
【００１２】
前記ウィンドウ管理部には、前記通信部を制御して、前記携帯端末より前記閲覧不能ウィンドウリストに登録されたウィンドウのうち、いずれかを閲覧可能な状態に切り替える指示を受信した場合、前記許可者リストに登録されていないユーザに閲覧不能、または閲覧困難な状態に管理したウィンドウを、閲覧可能な状態に切り替えて表示するように管理させるようにすることができる。
【００１３】
前記ウィンドウが前記表示部に表示されている場合、前記ウィンドウを閲覧しているユーザを、前記許可者リストに登録する登録部をさらに含ませるようにすることができる。
【００１４】
本技術の一側面の情報処理方法は、表示部により、ユーザ毎に使用されるアプリケーションプログラムからなるコンテンツ毎のウィンドウを表示し、前記ウィンドウが前記表示部に表示されている場合、前記ウィンドウの閲覧を許可するユーザが登録される許可者リストに登録されていないユーザが閲覧可能な状態になるとき、前記表示部に表示されているウィンドウの表示を、前記許可者リストに登録されていないユーザに閲覧不能、または閲覧困難な状態に管理するステップを含む。
【００１５】
本技術の一側面のプログラムは、ユーザ毎に使用されるアプリケーションプログラムからなるコンテンツ毎のウィンドウを表示する表示部を備えた情報処理装置を制御するコンピュータに、前記ウィンドウが前記表示部に表示されている場合、前記許可者リストに登録されていないユーザが閲覧可能な状態になるとき、前記表示部に表示されていたウィンドウの表示を、前記許可者リストに登録されていないユーザに閲覧不能、または閲覧困難な状態に管理するウィンドウ管理ステップとを含む処理を実行させる。
【００１６】
本技術の一側面の情報処理システムは、情報処理装置と携帯端末からなる情報処理システムであって、前記情報処理装置が、ユーザ毎に使用されるアプリケーションプログラムからなるコンテンツ毎のウィンドウを表示する表示部と、前記ウィンドウが前記表示部に表示されている場合、前記ウィンドウの閲覧を許可するユーザが登録される許可者リストに登録されていないユーザが閲覧可能な状態になるとき、前記表示部に表示されていたウィンドウの表示を、前記許可者リストに登録されていないユーザに閲覧不能、または閲覧困難な状態に管理するウィンドウ管理部と、携帯端末とデータを授受する第１の通信部とを含み、前記ウィンドウ管理部は、前記表示部に表示されているウィンドウの表示を、前記許可者リストに登録されていないユーザに閲覧不能、または閲覧困難な状態に管理する場合、前記許可者リストに登録されていないユーザに閲覧不能、または閲覧困難な状態に管理したウィンドウの一覧からなる閲覧不能ウィンドウリストを、前記通信部を制御して前記携帯端末に送信し、前記通信部を制御して、前記携帯端末より前記閲覧不能ウィンドウリストに登録されたウィンドウのうち、いずれかを閲覧可能な状態に切り替える指示を受信した場合、前記許可者リストに登録されていないユーザに閲覧不能、または閲覧困難な状態に管理したウィンドウを、閲覧可能な状態に切り替えて表示するように管理し、前記携帯端末が、前記閲覧不能ウィンドウリストを受信し、前記閲覧不能ウィンドウリストに登録されたウィンドウのうち、いずれかを閲覧可能な状態に切り替える指示を送信する通信部と、前記閲覧不能ウィンドウリストを表示する表示部と、前記閲覧不能ウィンドウリストに登録されたウィンドウのうち、いずれかを閲覧可能な状態に切り替える指示を入力する操作部とを含む。
【００１７】
本技術の一側面においては、表示部により、ユーザ毎に使用されるアプリケーションプログラムからなるコンテンツ毎のウィンドウが表示され、前記ウィンドウが前記表示部に表示されている場合、前記ウィンドウの閲覧を許可するユーザが登録される許可者リストに登録されていないユーザが閲覧可能な状態になるとき、前記表示部に表示されていたウィンドウの表示が、前記許可者リストに登録されていないユーザに閲覧不能、または閲覧困難な状態に管理される。
【発明の効果】
【００１８】
本技術の一側面によれば、大型の表示パネルによりコンテンツを表示する際、複数のユーザに対するコンテンツの閲覧の可否を特別な設定なしでも実現させることが可能となる。
【図面の簡単な説明】
【００１９】
【図１】本技術を適用した情報処理装置の一実施の形態の構成を説明するブロック図である。
【図２】図１の情報処理装置によるホワイトリスト生成処理を説明するフローチャートである。
【図３】表示部にウィンドウが表示され、ユーザが閲覧する場合を説明する図である。
【図４】閲覧可能性リストを説明する図である。
【図５】閲覧可能性履歴を説明する図である。
【図６】ホワイトリストを説明する図である。
【図７】図１の情報処理装置による閲覧管理処理を説明するフローチャートである。
【図８】ウィンドウを非表示にする場合の例を説明する図である。
【図９】ウィンドウを閲覧困難な位置に変更して表示する例を説明する図である。
【図１０】本技術を適用した情報処理システムの一実施の形態の構成を説明するブロック図である。
【図１１】図１０の情報処理システムによる非表示解除処理を説明するフローチャートである。
【図１２】図１０の情報処理システムによる非表示解除処理を説明する図である。
【図１３】汎用のパーソナルコンピュータの構成例を説明する図である。
【発明を実施するための最良の形態】
【００２０】
以下、発明を実施するための形態（以下、実施の形態という）について説明する。なお、説明は以下の順序で行う。
１．  第１の実施の形態（情報処理装置のみの構成の場合）
２．  第２の実施の形態（情報処理装置と携帯端末からなる情報処理システムの場合）
【００２１】
＜１．  第１の実施の形態＞
＜情報処理装置の構成例＞
図１は、本技術を適用した情報処理装置の一実施の形態の構成例を示すブロック図である。
【００２２】
図１の情報処理装置１１は、大型のタッチパネルからなる操作部２１および表示部３３を備えており、複数のユーザが、個別にアプリケーションプログラムからなるコンテンツを実行させて表示することができる。また、情報処理装置１１は、それぞれのコンテンツの実行結果をそれぞれのウィンドウ単位で表示する。さらに、情報処理装置１１は、所定のユーザが実行させることにより表示されているウィンドウのコンテンツの閲覧制限を予め設定することなく実行することができる。すなわち、情報処理装置１１は、撮像部２２を備えており、表示部３３を閲覧する人物が存在する範囲を撮像し、撮像した画像内のユーザが閲覧を許可するユーザのみであるときには、ウィンドウを表示し、一人でも閲覧を許可しないユーザが存在した場合、閲覧を許可しないユーザに対して閲覧不能、または閲覧困難な状態に表示する。
【００２３】
より具体的には、情報処理装置１１は、撮像部２２、操作部２１、入力部２３、閲覧状況認識部２４、ユーザ認識部２５、閲覧可能性リスト生成部２６、閲覧可能性リスト記憶部２７、閲覧可能性履歴生成部２８、閲覧可能性履歴記憶部２９、ホワイトリスト生成部３０、ホワイトリスト記憶部３１、ウィンドウ管理部３２、および表示部３３を備えている。
【００２４】
撮像部２２は、CCD（Charge Coupled Device）やCMOS（Complementary Metal Oxide Semiconductor）などから構成される。撮像部２２は、情報処理装置１１のLCD（Liquid Crystal Display）または有機EL（Electro Luminescence）などからなる表示部３３に表示されるコンテンツ毎のウィンドウを閲覧する、または、そのウィンドウに操作を入力するユーザの存在する範囲の画像を撮像し、撮像した画像を入力部２３に供給する。尚、撮像部２２は１台のみならず、複数の台数で複数の画像を出力するようにしてもよく、図３を参照して後述する構成例においては、撮像部２２は、撮像部２２−１，２２−２の２台の構成とされている。
【００２５】
操作部２１は、表示部３３上に設けられたタッチパネルなどから構成されており、ユーザの操作入力を受け付け、操作内容に応じた操作信号を発生し、表示部３３上の操作位置の情報と共に入力部２３に出力する。また、操作部２１は、操作ボタンやキーボードなどをさらに含み、これらが操作された場合、操作ボタンおよびキーボードが配置された位置の情報と共に、操作内容に対応した操作信号を入力部２３に出力する。
【００２６】
入力部２３は、撮像部２２より供給されてくる画像、および操作部２１より供給されてくる操作信号および操作位置の情報の入力を受け付けて、画像の情報を閲覧状況認識部２４に出力すると共に、操作信号および操作位置の情報をウィンドウ管理部３２に供給する。
【００２７】
閲覧状況認識部２４は、撮像部２２により撮像された画像に基づいて、画像内に存在する閲覧者となるユーザの閲覧位置に基づいて、表示部３３からの距離、および位置を認識し閲覧状況として画像と共にユーザ認識部２５およびウィンドウ管理部３２に供給する。
【００２８】
ユーザ認識部２５は、入力部２３より供給されてくる画像内に撮像されているユーザの顔画像を抽出すると共に、抽出された顔画像より、顔画像を識別するための特徴量の情報として、例えば、左右の目の間隔、または鼻の先から顎までの距離などの情報を抽出し、これらの組み合わせに基づいて認証し、認証結果となるユーザＩＤ（Identifier）を付して、閲覧位置の情報と共に閲覧可能性リスト生成部２６に供給する。
【００２９】
閲覧可能性リスト生成部２６は、閲覧状況およびユーザＩＤの情報と、ウィンドウ管理部３２により表示部３３に表示されている各ウィンドウ（コンテンツ）の位置の情報に基づいて、ユーザ毎に表示部３３に表示されているウィンドウ毎の閲覧の可能性の可否を判定し、判定結果に基づいて、閲覧リストを生成し、閲覧可能性リスト記憶部２７に記憶させる。
【００３０】
閲覧可能性履歴生成部２８は、閲覧可能性リスト記憶部２７に記憶されている閲覧可能性リストに基づいて、ウィンドウ毎に閲覧可能性履歴を生成して閲覧可能性履歴記憶部２９に記憶させる。
【００３１】
ホワイトリスト生成部３０は、閲覧可能性履歴記憶部２９に記憶されている閲覧可能性履歴に基づいて、ウィンドウ毎に閲覧を許可するユーザＩＤのリストであるホワイトリストを生成し、ホワイトリスト記憶部３１に記憶させる。
【００３２】
ウィンドウ管理部３２は、入力部２３を介して操作部２１からの操作内容に応じた操作信号に基づいて、コンテンツを実行させるアプリケーションプログラムを実行させ、実行結果をウィンドウ単位で表示する。また、ウィンドウ管理部３２は、閲覧可能性リスト記憶部２７に記憶されているウィンドウ毎の閲覧可能性リストとホワイトリストとを照合し、閲覧可能性リストにおいて閲覧が可能となっているユーザであって、ホワイトリストに登録されていないユーザが存在するウィンドウを非表示にし、それ以外の場合、ウィンドウを表示する。
【００３３】
＜ホワイトリスト生成処理＞
次に、図２のフローチャートを参照して、ホワイトリスト生成処理について説明する。
【００３４】
ステップＳ１１において、撮像部２２は、表示部３３をユーザが閲覧可能な範囲を撮像し、撮像した画像を閲覧状況認識部２４に供給する。例えば、図３で示されるように、撮像部２２−１，２２−２が表示部３３の上部の左右に設けられている場合、撮像部２２−１，２２−２は、それぞれ表示部３３を閲覧するユーザＡ，Ｂを撮像する。尚、図３においては、表示部３３上に、ウィンドウＷ１乃至Ｗ３が表示されており、表示部３３の前にユーザＡが存在し、ユーザＡよりも表示部３３から離れた位置にユーザＢが存在する。
【００３５】
ステップＳ１２において、閲覧状況認識部２４は、供給されてきた画像に基づいて、現在の表示部３３における各ウィンドウの閲覧状況を認識し、閲覧状況の情報、および画像をユーザ認識部２５に供給する。
【００３６】
ここで、閲覧状況とは、表示部３３のどの位置にウィンドウが表示されており、閲覧者であるユーザが、表示部３３に対して、どのような配置で存在するかを示す情報であり、例えば、図４の左上部で示されるような情報である。図４の左上部の閲覧状況は、表示部３３の正面にユーザａ乃至ｄが存在し、表示部３３の前の位置に左からユーザａ乃至ｃが順に存在し、中央のユーザｂよりも遠い位置にユーザｄが存在することを示している。また、図４の左上部では、表示部３３の左側の位置にウィンドウＷ１が表示されている。尚、図４の左上部は、表示部３３の表示面に対する上面図である。
【００３７】
ステップＳ１３において、ユーザ認識部２５は、画像より顔画像を抽出する。
【００３８】
ステップＳ１４において、ユーザ認識部２５は、抽出された顔画像による認証を実行し、ユーザＩＤを特定する。尚、ユーザＩＤは、顔画像の特徴量に対応付けて予め図示せぬデータベース等に登録されている。従って、ユーザ認識部２５は、このデータベースにアクセスし、対応するユーザＩＤを読み出すことにより、ユーザのユーザＩＤを特定する。
【００３９】
ステップＳ１５において、ユーザ認識部２５は、ユーザの閲覧位置となる表示部３３の正面方向における顔画像の位置を特定し、閲覧状況の情報と共に閲覧可能性リスト生成部２６に供給する。
【００４０】
ステップＳ１６において、閲覧可能性リスト生成部２６は、供給されてきたユーザＩＤおよび顔画像の位置の情報、並びに閲覧状況の情報に基づいて、ユーザの表示部３３上の視野範囲を特定させる。すなわち、図４の左上部で示されるようにユーザａ乃至ｄのそれぞれについて視野角θの範囲で設定される視野範囲を設定する。
【００４１】
より具体的には、視野範囲は、水平方向の視野角θにより算出される。視野角が一定であるとすれば、視野範囲は、表示部３３とユーザとの距離により特定される。すなわち、図４の左上部で示されるように、ユーザａ乃至ｄのそれぞれについて、表示部３３上の視野角θをなす点線で挟まれる範囲が視野範囲Ｖａ乃至Ｖｄとなる。
【００４２】
ステップＳ１７において、閲覧可能性リスト生成部２６は、ウィンドウ管理部３２より供給される各ウィンドウの表示部３３上の表示位置と、各ユーザの視野範囲に基づいて、各ウィンドウの閲覧可能性を判断し、判断結果を閲覧可能性リストとし、閲覧可能性リスト記憶部２７に記憶させる。
【００４３】
すなわち、例えば、図４の左上部の閲覧状況の場合、ユーザａの視野範囲Ｖａには、表示部３３上のウィンドウＷ１１が含まれているので、閲覧は可能であると判断される。また、ユーザｂの視野範囲Ｖｂには、表示部３３上のウィンドウＷ１１が含まれるので、閲覧は可能であると判断される。さらに、ユーザｃの視野範囲Ｖｃには、ウィンドウＷ１１が含まれていないので、閲覧は不可能であると判断される。また、ユーザｄの視野範囲Ｖｄには、ウィンドウＷ１１が含まれているが、視野範囲Ｖｄに対してウィンドウＷ１１の水平方向の幅が小さく、視認し難いとみなされ、閲覧は不可能であると判断される。
【００４４】
閲覧可能性リスト生成部２６は、各ユーザについて、ウィンドウ毎に可否結果を求め、図４の右上部で示されるような閲覧可能性リストを生成して閲覧可能性リスト記憶部２７に記憶させる。図４の右上部においては、左側にユーザＩＤ欄が設けられており、上からａ，ｂ，ｃ，ｄが登録されている。また、右側には閲覧可能性の可否を記録する欄が設けられており、上から「可」，「可」，「否」，「否」と上述した判断結果が示されている。
【００４５】
また、閲覧状況が、図４の左下部の場合、ユーザａ，ｃについては、それぞれの視野範囲Ｖａ，ＶｃにウィンドウＷ１２が含まれるので閲覧可能を示す「可」が登録され、ユーザｂについては、視野範囲ＶｂにウィンドウＷ１２が含まれないので閲覧不可を示す「否」が登録されている。
【００４６】
閲覧可能性リスト生成部２６は、以上のように閲覧可能性リストを順次更新して、閲覧可能性リスト記憶部２７に記憶させる。尚、閲覧可能性リストは、リアルタイムに更新され続けるものであるので、ウィンドウ毎に常に最新の情報のみが記録される。
【００４７】
ステップＳ１８において、閲覧可能性履歴生成部２８は、閲覧可能性リスト記憶部２７に記憶されている閲覧可能性リストを読み出して、更新される情報が発生されるときに、直前の状況と変化が生じた情報を、閲覧可能性履歴として反映させるように更新し、閲覧可能性履歴記憶部２９に記憶させる。
【００４８】
閲覧可能性履歴とは、例えば、図５で示されるようなものであり、ウィンドウ毎（アプリケーションプログラムにより実行されるコンテンツ毎）に上から表示開始時刻欄、表示終了（更新）時刻欄、および閲覧可能ユーザ欄が設けられている。
【００４９】
図５においては、最上段にウィンドウＷ１に対応する閲覧可能性履歴が示されており、２段目にウィンドウＷ２に対応する閲覧可能性履歴が示されている。
【００５０】
最上段のウィンドウＷ１に対応する閲覧可能性履歴においては、表示開始時刻欄に「2013/11/11 10:10」、表示終了（更新）時刻欄に「2013/11/11 10:15」、および閲覧可能ユーザ欄に「b,c」と記述されている。これにより、ウィンドウＷ１は、2013年11月11日10:10から10:15までの間、ユーザｂ，ｃにより閲覧されていたことが示される。ウィンドウＷ１は、同日、10:15から12:00までの間、ユーザｂ，ｃ，ｄにより閲覧されていることが示されている。また、2013年11月22日9:00から11:00までの間、ユーザｂにより閲覧されており、11:00から11:05までの間、ユーザｂ，ｅにより閲覧されていることが示されている。
【００５１】
さらに、ウィンドウＷ２については、2013年11月11日10:13から10:18までの間、ユーザｃにより閲覧されていることが示されている。また、2013年11月22日9:00から11:00までの間、ユーザｂにより閲覧されており、11:00から11:05までの間、ユーザｂ，ｅにより閲覧されていることが示されている。
【００５２】
ステップＳ１９において、ホワイトリスト生成部３０は、閲覧可能性履歴記憶部２９に記憶されている閲覧可能性履歴に基づいて、ホワイトリストを生成（更新）してホワイトリスト記憶部３１に記憶させ、処理は、ステップＳ１１に戻る。
【００５３】
すなわち、ホワイトリスト生成部３０は、例えば、図６で示されるようなホワイトリストを生成（更新）してホワイトリスト記憶部３１に記憶させる。図６のホワイトリストにおいては、ウィンドウＷ１乃至Ｗ３のそれぞれについて、閲覧を認めるユーザが登録されている。図６の場合、ウィンドウＷ１については、図５のウィンドウＷ１における閲覧可能性履歴に一度でも閲覧可能ユーザとして登録されたユーザが登録されており、ユーザｂ，ｃ，ｄ，ｅが登録されている。同様に、ウィンドウＷ２については、ユーザｃ，ｂ，ｅが登録されている。
【００５４】
以上の処理により、ウィンドウ毎に１度でも閲覧が可能であると認められたユーザが、閲覧が許可されているユーザとしてワイトリストに登録され、ホワイトリスト記憶部３１に記憶させるようにすることができる。尚、以上においては、ユーザ毎の視野範囲、および閲覧位置と表示部３３に表示されたウィンドウまでの距離に基づいて閲覧の可能性を判定する例について説明してきたが、さらに、視力なども考慮して閲覧の可能性を判定するようにしても良い。さらに、以上においては、水平方向の視野範囲についてのみ考慮するように説明してきたが、同様に垂直方向の視野範囲についても考慮するようにしても良い。
【００５５】
＜閲覧管理処理＞
次に、図７のフローチャートを参照して、閲覧管理処理について説明する。
【００５６】
ステップＳ３１において、ウィンドウ管理部３２は、閲覧可能性リスト記憶部２７に記憶されている閲覧可能性リストを読み出す。すなわち、閲覧可能性リストは、リアルタイムの表示部３３に表示されている各ウィンドウの閲覧可能性の可否が登録されているリストであるので、ウィンドウ管理部３２は、現状の閲覧者となるユーザを認識することができる。また、ウィンドウ管理部３２は、閲覧状況認識部２４より供給される閲覧状況の情報を取得し、閲覧状況を認識する。これによりウィンドウ管理部３２は、表示部３３に対して、どの位置に存在するユーザが、どのウィンドウに対して閲覧者となるユーザであるかを認識することができる。
【００５７】
ステップＳ３２において、ウィンドウ管理部３２は、読み出した閲覧可能性リストに登録されている全てのウィンドウを未処理のウィンドウに設定する。
【００５８】
ステップＳ３３において、ウィンドウ管理部３２は、未処理のウィンドウのいずれかを処理対象ウィンドウに設定する。
【００５９】
ステップＳ３４において、ウィンドウ管理部３２は、読み出した閲覧可能性リストに登録されている全てのユーザを未処理のユーザに設定する。
【００６０】
ステップＳ３５において、ウィンドウ管理部３２は、処理対象ウィンドウの閲覧可能性リストの未処理のユーザのいずれかを処理対象ユーザに設定する。
【００６１】
ステップＳ３６において、ウィンドウ管理部３２は、処理対象ユーザの閲覧可能性が可能であるか否かを判定し、例えば、可能であると判定された場合、処理は、ステップＳ３７に進む。
【００６２】
ステップＳ３７において、ウィンドウ管理部３２は、ホワイトリスト記憶部３１にアクセスして、最新のホワイトリストを読み出し、処理対象ウィンドウについて処理対象ユーザがホワイトリストに登録されているか否かを判定する。ステップＳ３７において、例えば、処理対象ユーザがホワイトリストに登録されている場合、処理は、ステップＳ３８に進む。
【００６３】
ステップＳ３８において、ウィンドウ管理部３２は、未処理のユーザが存在するか否かを判定し、未処理のユーザが存在する場合、処理は、ステップＳ３５に戻る。すなわち、全てのユーザについてホワイトリストに登録されているか否かが判定される。そして、ステップＳ３８において、未処理のユーザが存在しないと判定された場合、処理は、ステップＳ３９に進む。
【００６４】
ステップＳ３９において、ウィンドウ管理部３２は、処理対象ウィンドウを表示部３３に表示する、または表示中であれば表示を継続し、ユーザに対して閲覧できる状態を維持する。
【００６５】
一方、ステップＳ３７において、処理対象ユーザがホワイトリストに登録されていない場合、ステップＳ４０において、ウィンドウ管理部３２は処理対象ウィンドウを非表示にする。すなわち、一人でもホワイトリストに登録されていないユーザが閲覧できる状態になった場合、処理対象ウィンドウは、閲覧不能、または閲覧困難な表示状態に制御される。
【００６６】
ステップＳ４１において、ウィンドウ管理部３２は、未処理のウィンドウが存在するか否かを判定し、未処理のウィンドウが存在する場合、処理は、ステップＳ３３に戻り、全てのウィンドウについて処理がなされるまで、ステップＳ３３乃至Ｓ４１の処理が繰り返される。そして、ステップＳ４１において、未処理のウィンドウが存在しない、すなわち、全てのウィンドウについて処理がなされたと見なされた場合、処理は、ステップＳ４２に進む。
【００６７】
ステップＳ４２において、ウィンドウ管理部３２は、操作部２１が操作され、処理終了が指示されたか否かを判定し、処理終了が指示されない場合、処理は、ステップＳ３１に戻る。すなわち、処理の終了が指示されるまで、ステップＳ３１乃至Ｓ４２が繰り返される。そして、処理の終了が指示されると、処理は、終了する。
【００６８】
すなわち、処理対象ウィンドウについて、一人でもホワイトリストに登録されていないユーザが存在している場合、処理対処ウィンドウが非表示にされる。例えば、図３で示されるように、表示部ウィンドウＷ１乃至Ｗ３のうち、ユーザＢにウィンドウＷ１を閲覧させたくない場合、ホワイトリストに登録されないことになるので、例えば、図８で示されるように、ウィンドウＷ１１で示されるように非表示とされる。このようにすることで、例えば、ウィンドウＷ１の動作を管理するユーザＡが、閲覧させたくないユーザＢが急に閲覧できるような閲覧位置に現れても、以上の処理により、ウィンドウＷ１は非表示状態のウィンドウＷ１１とされるので、ユーザが、予め意識的に設定をすることなく、プライバシやセキュリティを守ることが可能となる。
【００６９】
また、以上においては、閲覧させたくないユーザが現れた場合、対象となるウィンドウを非表示にする例について説明してきたが、非表示にすると元々表示されていたウィンドウの存在がわからなくなるので、例えば、判読が難しい程度に半透明に表示するようにしてもよい。
【００７０】
また、閲覧させたくないユーザが現れた場合、対象となるウィンドウの閲覧ができない状態を作り出せればよいものであるので、例えば、図９で示されるように、ユーザＢが現れたとき、図３のウィンドウＷ１に対応するウィンドウを小さくし、さらに、ユーザＢからは閲覧しにくいユーザＡの陰に隠れる位置にウィンドウＷ２１として表示するようにするなど、表示位置を調整することで閲覧し難い状態とするようにしても良い。また、この他にも、閲覧させたくないユーザが現れた場合、対象となるウィンドウの閲覧ができない状態を作り出せればよいものであるので、ウィンドウの表示サイズを、閲覧が不能となる程度に小さくする、ウィンドウ内のフォントサイズだけを小さくする、画像にモザイクをかけるといった処理を施すようにしても良いし、これらの処理を組み合わせるようにしても良い。
【００７１】
＜２．  第２の実施の形態＞
＜情報処理システムの構成例＞
以上の一連の処理では、特定のユーザに対象となるウィンドウを閲覧させたくない場合、ホワイトリストに登録されないユーザは、閲覧できない状態が継続されることとなるが、非表示にしたウィンドウの一覧を、ウィンドウを管理するユーザの携帯端末に送信し、そのうちのいずれか閲覧できる状態に変更したいウィンドウについては表示の指示を出すことにより、閲覧できる状態に変更できるようにしてもよい。
【００７２】
図１０は、非表示にしたウィンドウの一覧を、ウィンドウを管理するユーザの携帯端末に送信し、そのうちのいずれか閲覧できる状態に変更したいウィンドウを選択することにより、閲覧できる状態に変更できるようにした情報処理システムの構成例を示すブロック図である。
【００７３】
尚、図１０において、図１の情報処理装置１１における構成と同一の機能を備えた構成については、同一の符号および同一の名称を付しており、その説明は省略するものとする。すなわち、図１０の情報処理システムは、情報処理装置１１および携帯端末１０１より構成されるものであり、図１０の情報処理装置１１は、基本的に図１の情報処理装置１１と同様の機能を備えている。図１０の情報処理装置１１において、図１の情報処理装置１１と異なるのは、ウィンドウ管理部３２に代えてウィンドウ管理部５１を設け、新たに携帯端末１０１の通信部１１３と公衆回線網などを介して通信する通信部５２を備えた点である。
【００７４】
また、ウィンドウを管理するユーザにより所持される携帯端末１０１は、情報処理装置１１の通信部５２より送信されてくる非表示状態のウィンドウの一覧からなる情報を受信すると、表示部１１２に表示すると共に、いずれか非表示を解除して表示を指示する選択画像を表示させる。制御部１１１は、操作部１１４が操作されて、非表示のウィンドウのいずれかの非表示の解除を指示する操作がなされると、対応する情報を情報処理装置１１に送信する。
【００７５】
より詳細には、携帯端末１０１は、制御部１１１、表示部１１２、通信部１１３、および操作部１１４を備えている。制御部１１１は、携帯端末１０１の動作の全体を制御する。また、表示部１１２は、LCDや有機ELより構成され、制御部１１１により実行される処理結果や操作部１１４が操作されて入力される情報を表示する。操作部１１４は、例えば、表示部１１２と一体化したタッチパネルなどであり、ウィンドウを管理するユーザにより操作により入力される各種の情報の入力を受け付けて、制御部１１１に供給する。
【００７６】
＜非表示解除処理＞
次に、図１１のフローチャートを参照して、図１０の情報処理システムにより、非表示解除処理について説明する。
【００７７】
ステップＳ８１において、ウィンドウ管理部５１は、非表示に設定されたウィンドウが存在するか否かを判定し、存在すると判定されるまで、同様の処理が繰り返される。そして、ステップＳ８１において、例えば、上述したステップＳ４０の処理により、非表示となるウィンドウが発生した場合、処理は、ステップＳ８２に進む。
【００７８】
ステップＳ８２において、ウィンドウ管理部５１は、非表示に設定されたウィンドウの一覧からなるリストを生成し、通信部５２を制御して、ウィンドウを管理するユーザの携帯端末１０１に送信させる。
【００７９】
ステップＳ１１１において、携帯端末１０１の制御部１１１は、通信部１１３を制御して非表示のウィンドウの一覧からなるリストが送信されてきたか否かを判定し、送信されてきたと判定されるまで同様の処理を繰り返す。ステップＳ１１１において、例えば、ステップＳ８２の処理により非表示のウィンドウの一覧からなるリストが送信されてきた場合、処理は、ステップＳ１１２に進む。
【００８０】
ステップＳ１１２において、制御部１１１は、通信部１１３を制御して、送信されてきた非表示のウィンドウのリストを受信させる。
【００８１】
ステップＳ１１３において、制御部１１１は、受信した非表示のウィンドウのリストに基づいて、非表示を解除するウィンドウを選択する選択画像を生成して表示部１１２に表示させる。例えば、図１２で示されるようにな選択画像が、ユーザＡが把持する携帯端末１０１における表示部１１２に表示される。図１２の選択画像においては、非表示に設定されたウィンドウの一覧に対応するコンテンツ２，５，８が表示され、それぞれチェックボックスＣ１乃至Ｃ３が設けられている。また、非表示に設定されたウィンドウに対応するコンテンツ２，５，８のチェックボックスＣ１乃至Ｃ３の横には、いずれかのチェックボックスがチェックされて非表示の解除を決定するとき操作される「開く」と表記された操作ボタンＢが表示されている。
【００８２】
ステップＳ１１４において、制御部１１１は、操作部１１４が操作されて、いずれかのウィンドウの非表示解除が指示されたか否かを判定する。例えば、操作部１１４が操作されて、表示部１１２に表示された、図１２のチェックボックスＣ１乃至Ｃ３のいずれかがチェックされて、さらに、ボタンＢが押下された場合、非表示解除が指示されたものとみなされて、処理は、ステップＳ１１５に進む。
【００８３】
ステップＳ１１５において、制御部１１１は、通院部１１３を制御して、チェックボックスにチェックがなされたコンテンツを管理するウィンドウの非表示を解除する指示を情報処理装置１１に送信させる。
【００８４】
ステップＳ１１６において、制御部１１１は、非表示ウィンドウのリストの情報を破棄して、ステップＳ１１１の処理に戻る。
【００８５】
一方、ステップＳ８３において、ウィンドウ管理部５１は、通信部５２を制御して、携帯端末１０１から非表示解除指示が送信されてきたか否かを判定し、送信されてきた場合、処理は、ステップＳ８４に進む。
【００８６】
ステップＳ８４において、ウィンドウ管理部５１は、通信部５２を制御して、携帯端末１０１より送信されてきた非表示解除指示を受信する。
【００８７】
ステップＳ８５において、ウィンドウ管理部５１は、非表示の解除が指示されているウィンドウの非表示を解除して、表示部３３に表示させる。
【００８８】
このような処理により、一旦、非表示が解除されることにより、これまでホワイトリストに登録されていなかったユーザにウィンドウを閲覧できる状態に表示させることが可能となる。この結果、図２のホワイトリスト生成処理においては、これまでホワイトリストに登録されていなかったユーザが、１度でも閲覧が可能となることにより、ホワイトリストに新たに登録されることになるので、以降において閲覧が可能となる。
【００８９】
逆に、所定のウィンドウについて、これまで閲覧できる状態であったが、閲覧できない状態、すなわち、ホワイトリストから除外したいユーザが現れた場合には、対象となるウィンドウを非表示にすると共に、閲覧可能性履歴記憶部２９をリセットした上で、ホワイトリストから除外することで可能となる。
【００９０】
また、以上においては、非表示にされたウィンドウが発生すると携帯端末に非表示にされたウィンドウのリストが送信されてくることにより、ウィンドウが非表示にされたことを、ウィンドウを管理する（所有する）ユーザに通知することが可能となる。さらに、携帯端末ではなく、例えば、ヘッドセットなどにより、音声でウィンドウが非表示にされたことを通知するようにしても良いし、携帯端末のバイブレータ機能により通知するようにしても良い。
【００９１】
以上の処理により、ホワイトリストに登録されたユーザのみが、表示部３３に表示されたウィンドウを閲覧することが可能となる。従って、初めて表示部３３のウィンドウを閲覧するユーザは、当然のことながらホワイトリストには登録されていないので、閲覧可能な状態になると必ずウィンドウが非表示にされる。このため、初めて表示部３３のウィンドウを閲覧しようとするユーザは、表示部３３を閲覧できる閲覧位置に移動しても必ず閲覧できないようにすることが可能となる。さらに、このユーザは、新たにホワイトリストに登録されるまでは、閲覧ができない状態が継続されることになる。
【００９２】
そして、ウィンドウを管理する（所有する）ユーザは、このように閲覧ができないユーザが表示部３３に表示されるウィンドウを閲覧できる閲覧位置に移動させた状態で、携帯端末を利用し、非表示解除処理を実行すると、閲覧者であるユーザによる閲覧が可能となる。さらに、閲覧が一度可能になると、ホワイトリスト生成処理により、閲覧が可能になったユーザがホワイトリストに登録されるので、以降においては、閲覧が可能な状態が維持されることになる。
【００９３】
結果として、大型の表示パネルによりコンテンツを表示する際、複数のユーザに対するコンテンツの閲覧の可否を特別な設定なしでも実現することが可能となる。
【００９４】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００９５】
図１３は、汎用のパーソナルコンピュータの構成例を示している。このパーソナルコンピュータは、CPU(Central Processing Unit)１００１を内蔵している。CPU１００１にはバス１００４を介して、入出力インタ-フェイス１００５が接続されている。バス１００４には、ROM(Read Only Memory)１００２およびRAM(Random Access Memory)１００３が接続されている。
【００９６】
入出力インタ-フェイス１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【００９７】
CPU１００１は、ROM１００２に記憶されているプログラム、または磁気ディスク、光ディスク、光磁気ディスク、もしくは半導体メモリ等のリムーバブルメディア１０１１ら読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【００９８】
以上のように構成されるコンピュータでは、CPU１００１が、例えば、記憶部１００８に記憶されているプログラムを、入出力インタフェース１００５及びバス１００４を介して、RAM１００３にロードして実行することにより、上述した一連の処理が行われる。
【００９９】
コンピュータ（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。
【０１００】
コンピュータでは、プログラムは、リムーバブルメディア１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ROM１００２や記憶部１００８に、あらかじめインストールしておくことができる。
【０１０１】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１０２】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１０３】
なお、本技術の実施の形態は、上述した実施の形態に限定されるものではなく、本技術の要旨を逸脱しない範囲において種々の変更が可能である。
【０１０４】
例えば、本技術は、１つの機能をネットワークを介して複数の装置で分担、共同して処理するクラウドコンピューティングの構成をとることができる。
【０１０５】
また、上述のフローチャートで説明した各ステップは、１つの装置で実行する他、複数の装置で分担して実行することができる。
【０１０６】
さらに、１つのステップに複数の処理が含まれる場合には、その１つのステップに含まれる複数の処理は、１つの装置で実行する他、複数の装置で分担して実行することができる。
【０１０７】
尚、本技術は、以下のような構成も取ることができる。
（１）  ユーザ毎に使用されるアプリケーションプログラムからなるコンテンツ毎のウィンドウを表示する表示部と、
前記ウィンドウが前記表示部に表示されている場合、前記ウィンドウの閲覧を許可するユーザが登録される許可者リストに登録されていないユーザが閲覧可能な状態になるとき、前記表示部に表示されていたウィンドウの表示を、前記許可者リストに登録されていないユーザに閲覧不能、または閲覧困難な状態に管理するウィンドウ管理部と
を含む情報処理装置。
（２）  前記表示部を閲覧するユーザが存在する範囲の画像を撮像する撮像部と、
前記画像内のユーザ毎の前記表示部に対する閲覧位置と、前記表示部に表示されているウィンドウ毎の表示位置とに基づいて、前記ユーザ毎の視野範囲を特定し、前記ウィンドウ毎に視野範囲内であって、かつ、閲覧可能な距離内であるか否かに基づいて、閲覧の可否を判定し、閲覧可能性リストに登録する閲覧可能性リスト生成部と、
前記閲覧可能性リストの履歴を生成する閲覧可能性履歴生成部と、
前記ウィンドウ毎に前記閲覧可能性履歴に閲覧可能であるとして登録されたユーザを、前記許可者リストに登録するリスト登録部とをさらに含む
（１）に記載の情報処理装置。
（３）  前記ウィンドウ管理部は、前記ウィンドウが前記表示部に表示されている場合、前記許可者リストに登録されていないユーザが閲覧可能な状態になるとき、前記表示部に表示されているウィンドウの表示を、非表示、半透明表示、縮小表示、および、前記許可者リストに登録されていないユーザの閲覧位置から閲覧不能、または閲覧困難な位置への位置変更表示のいずれか、または、それらの組み合わせの表示に切り替えることで、前記許可者リストに登録されていないユーザに閲覧不能、または閲覧困難な状態に管理する
（１）または（２）に記載の情報処理装置。
（４）  携帯端末とデータを授受する通信部をさらに含み、
前記ウィンドウ管理部は、前記表示部に表示されているウィンドウの表示を、前記許可者リストに登録されていないユーザに閲覧不能、または閲覧困難な状態に管理する場合、前記許可者リストに登録されていないユーザに閲覧不能、または閲覧困難な状態に管理したウィンドウの一覧からなる閲覧不能ウィンドウリストを、前記通信部を制御して前記携帯端末に送信する
（１）乃至（３）のいずれかに記載の情報処理装置。
（５）  前記ウィンドウ管理部は、前記通信部を制御して、前記携帯端末より前記閲覧不能ウィンドウリストに登録されたウィンドウのうち、いずれかを閲覧可能な状態に切り替える指示を受信した場合、前記許可者リストに登録されていないユーザに閲覧不能、または閲覧困難な状態に管理したウィンドウを、閲覧可能な状態に切り替えて表示するように管理する
（４）に記載の情報処理装置。
（６）  前記ウィンドウが前記表示部に表示されている場合、前記ウィンドウを閲覧しているユーザを、前記許可者リストに登録する登録部をさらに含む
（５）に記載の情報処理装置。
（７）  表示部により、ユーザ毎に使用されるアプリケーションプログラムからなるコンテンツ毎のウィンドウを表示し、
前記ウィンドウが前記表示部に表示されている場合、前記ウィンドウの閲覧を許可するユーザが登録される許可者リストに登録されていないユーザが閲覧可能な状態になるとき、前記表示部に表示されているウィンドウの表示を、前記許可者リストに登録されていないユーザに閲覧不能、または閲覧困難な状態に管理する
ステップを含む情報処理方法。
（８）  ユーザ毎に使用されるアプリケーションプログラムからなるコンテンツ毎のウィンドウを表示する表示部を備えた情報処理装置を制御するコンピュータに、
前記ウィンドウが前記表示部に表示されている場合、前記許可者リストに登録されていないユーザが閲覧可能な状態になるとき、前記表示部に表示されていたウィンドウの表示を、前記許可者リストに登録されていないユーザに閲覧不能、または閲覧困難な状態に管理するウィンドウ管理ステップと
を含む処理を実行させるプログラム。
（９）  ユーザ毎に使用されるアプリケーションプログラムからなるコンテンツ毎のウィンドウを表示する表示部を備えた情報処理装置を制御するコンピュータに実行させるプログラムが記録された記録媒体において、
前記ウィンドウが前記表示部に表示されている場合、前記許可者リストに登録されていないユーザが閲覧可能な状態になるとき、前記表示部に表示されていたウィンドウの表示を、前記許可者リストに登録されていないユーザに閲覧不能、または閲覧困難な状態に管理するウィンドウ管理ステップと
を含む処理を実行させるプログラムが記録された記録媒体。
（１０）  情報処理装置と携帯端末からなる情報処理システムにおいて、
前記情報処理装置は、
ユーザ毎に使用されるアプリケーションプログラムからなるコンテンツ毎のウィンドウを表示する表示部と、
前記ウィンドウが前記表示部に表示されている場合、前記ウィンドウの閲覧を許可するユーザが登録される許可者リストに登録されていないユーザが閲覧可能な状態になるとき、前記表示部に表示されていたウィンドウの表示を、前記許可者リストに登録されていないユーザに閲覧不能、または閲覧困難な状態に管理するウィンドウ管理部と、
携帯端末とデータを授受する第１の通信部とを含み、
前記ウィンドウ管理部は、前記表示部に表示されているウィンドウの表示を、前記許可者リストに登録されていないユーザに閲覧不能、または閲覧困難な状態に管理する場合、前記許可者リストに登録されていないユーザに閲覧不能、または閲覧困難な状態に管理したウィンドウの一覧からなる閲覧不能ウィンドウリストを、前記通信部を制御して前記携帯端末に送信し、前記通信部を制御して、前記携帯端末より前記閲覧不能ウィンドウリストに登録されたウィンドウのうち、いずれかを閲覧可能な状態に切り替える指示を受信した場合、前記許可者リストに登録されていないユーザに閲覧不能、または閲覧困難な状態に管理したウィンドウを、閲覧可能な状態に切り替えて表示するように管理し、
前記携帯端末は、
前記閲覧不能ウィンドウリストを受信し、前記閲覧不能ウィンドウリストに登録されたウィンドウのうち、いずれかを閲覧可能な状態に切り替える指示を送信する通信部と、
前記閲覧不能ウィンドウリストを表示する表示部と、
前記閲覧不能ウィンドウリストに登録されたウィンドウのうち、いずれかを閲覧可能な状態に切り替える指示を入力する操作部と
を含む情報処理システム。
【符号の説明】
【０１０８】
１１  情報処理装置，  ２１  操作部，  ２２  撮像部，  ２３  入力部，  ２４  閲覧状況認識部，  ２５  ユーザ認識部，  ２６  閲覧可能性リスト生成部，  ２７  閲覧可能性リスト記憶部，  ２８  閲覧可能性履歴生成部，  ２９  閲覧可能性履歴記憶部，  ３０  ホワイトリスト生成部，  ３１  ホワイトリスト記憶部，  ３２  ウィンドウ管理部，  ３３  表示部，  ５１  ウィンドウ管理部，  ５２  通信部，  １０１  携帯端末，  １１１  制御部，  １１２  表示部，  １１３  通信部，  １１４  操作部
【図１】
2015153268.tif 000003
【図２】
2015153268.tif 000004
【図３】
2015153268.tif 000005
【図４】
2015153268.tif 000006
【図５】
2015153268.tif 000007
【図６】
2015153268.tif 000008
【図７】
2015153268.tif 000009
【図８】
2015153268.tif 000010
【図９】
2015153268.tif 000011
【図１０】
2015153268.tif 000012
【図１１】
2015153268.tif 000013
【図１２】
2015153268.tif 000014
【図１３】
2015153268.tif 000015